(57)【要約】【課題】格納状態に至る前の近傍において支柱部材を支持する従来の保持機構では、確実な操作が困難である。また従来は、この保持機構を使用状態における保持機構とは別に構成している。【解決手段】本発明では上部横桟部材１ｕと下部横桟部材１ｄ間に、複数の支柱部材２を平行リンク機構を構成するように回動可能に連結し、夫々の支柱部材２の上部には連動腕３を突設して、夫々の連動腕を連動棒体４により平行リンク機構を構成するように連結ｄ、上部横桟部材には、連動棒体に対して進退可能にストッパーピン７を設けて、これを連動棒体方向にばね８により付勢すると共に、後退させるための操作部９を構成し、連動棒体には、支柱部材が起立した使用状態と、格納状態に至る前の近傍の状態において、ストッパーピンが対応する位置にストッパー孔１０ａ、１０ｂを設けた折り畳み式サイドレールを提案する。【選択図】図５
2009118979.tif 000002
【特許請求の範囲】
【請求項１】
上部横桟部材と下部横桟部材間に、複数の支柱部材を平行リンク機構を構成するように回動可能に連結して、支柱部材が起立した使用状態と、倒れた格納状態の間で操作可能に構成し、夫々の支柱部材の上部には連動腕を突設して、夫々の連動腕を連動棒体により平行リンク機構を構成するように連結すると共に、上記上部横桟部材には、上記連動棒体に対して進退可能にストッパーピンを設け、上記連動棒体には、上記支柱部材が起立した使用状態と、格納状態に至る前の近傍の状態において、上記ストッパーピンが対応する位置に、ストッパーピンを嵌合させるストッパー孔を設けたことを特徴とする折り畳み式サイドレール。
【請求項２】
上部横桟部材と下部横桟部材間に、複数の支柱部材を平行リンク機構を構成するように回動可能に連結して、支柱部材が起立した使用状態と、倒れた格納状態の間で操作可能に構成し、夫々の支柱部材の下部には連動腕を突設して、夫々の連動腕を連動棒体により平行リンク機構を構成するように連結すると共に、上記下部横桟部材には、上記連動棒体に対して進退可能にストッパーピンを設け、上記連動棒体には、上記支柱部材が起立した使用状態と、格納状態に至る前の近傍の状態において、上記ストッパーピンが対応する位置に、ストッパーピンを嵌合させるストッパー孔を設けたことを特徴とする折り畳み式サイドレール。
【請求項３】
連動腕と連動棒体を上部横桟部材に構成したカバー内に構成することを特徴とする請求項１に記載の折り畳み式サイドレール。
【請求項４】
連動腕と連動棒体を下部横桟部材に構成したカバー内に構成することを特徴とする請求項２に記載の折り畳み式サイドレール。
【発明の詳細な説明】
【技術分野】
【０００１】
本発明は、ベッド等用の折り畳み式サイドレール、特に、上部横桟部材と下部横桟部材間に、複数の支柱部材を平行リンク機構を構成するように回動可能に連結した構成の折り畳み式サイドレールに関するものである。
【背景技術】
【０００２】
ベッドのサイドレールとしては各種のものが従来から提供されているが、このうち、上部横桟部材と下部横桟部材間に、複数の支柱部材を平行リンク機構を構成するように回動可能に連結し、上記支柱部材を起立姿勢で保持して使用状態とすると共に、支柱部材を倒して上部横桟部材を平行に下降して不使用時の格納状態とする折り畳み式サイドレールが広く使用されている。このような折り畳み式サイドレールでは、ベッドからの離床や介助等の邪魔にならないようにするため、不使用時の格納状態において、上部横桟部材の高さができるだけ低く維持されることが望まれる。このためには格納状態において重なる複数の支柱部材間の隙間が無いか、あるいはできるだけ小さくなるようにすれば良い。
【０００３】
しかしながらサイドレールを操作して格納状態にしようとした際に、操作者（使用者）や第三者が無意識に支柱部材間に指を入れていたり、また一度格納状態とした際に布団等の異物が挟まって隙間ができ、この隙間に指を入れている状態で、操作者（使用者）や第三者が上部横桟部材に荷重を加えると、支柱部材間に指を挟んでしまい非常に危険である。
【０００４】
このような危険性を無くすために、例えば特許文献１には、サイドレールが格納状態に至る前の近傍において支柱がそれ以上倒れるのを防ぐための保持片を下部横桟部材の上側に設け、この保持片は保持姿勢方向にばねによって付勢した構成が提案されている。
【０００５】
この構成では格納状態に至る前の近傍に支柱部材が倒れてくると、ばねによって保持姿勢に維持されている保持片に当接して支持され、この位置では、支柱部材間に所定幅の空間が形成されているため指が挟まれないというものである。
【０００６】
こうして支柱部材を一旦、この位置に保持した後、保持片をばねの付勢に抗して回動させて非保持姿勢に支持し、回動が可能となった状態で格納状態まで支柱部材を倒すことができるというものである。
【特許文献１】特許第２６９７７６５号公報
【発明の開示】
【発明が解決しようとする課題】
【０００７】
上記特許文献１に記載の保持片は、強度上、少なくとも２個所以上に設ける必要があるが、この場合には、一人で保持片を非保持姿勢に支持しながらサイドレールを下降操作するのは困難である。３個所以上であると一人で操作することは不可能となる。
【０００８】
また特許文献１に記載のものでは、サイドレールが格納状態に至る前の近傍において支柱がそれ以上倒れるのを防ぐための保持機構を、サイドレールを使用状態で保持する保持機構とは別に構成しているため操作性が悪い。
本発明は、以上の課題を解決することを目的とするものである。
【課題を解決するための手段】
【０００９】
上述した課題を解決するために、本発明では、上部横桟部材と下部横桟部材間に、複数の支柱部材を平行リンク機構を構成するように回動可能に連結して、支柱部材が起立した使用状態と、倒れた格納状態の間で操作可能に構成し、夫々の支柱部材の上部には連動腕を突設して、夫々の連動腕を連動棒体により平行リンク機構を構成するように連結すると共に、上記上部横桟部材には、上記連動棒体に対して進退可能にストッパーピンを設けて、このストッパーピンを連動棒体方向にばねにより付勢すると共に、ばねの付勢に抗して後退させるための操作部を構成し、更に上記連動棒体には、上記支柱部材が起立した使用状態と、格納状態に至る前の近傍の状態において、上記ストッパーピンが対応する位置に、ストッパーピンを嵌合させるストッパー孔を設けた折り畳み式サイドレールを提案する。
【００１０】
また本発明では、上部横桟部材と下部横桟部材間に、複数の支柱部材を平行リンク機構を構成するように回動可能に連結して、支柱部材が起立した使用状態と、倒れた格納状態の間で操作可能に構成し、夫々の支柱部材の下部には連動腕を突設して、夫々の連動腕を連動棒体により平行リンク機構を構成するように連結すると共に、上記下部横桟部材には、上記連動棒体に対して進退可能にストッパーピンを設けて、このストッパーピンを連動棒体方向にばねにより付勢すると共に、ばねの付勢に抗して後退させるための操作部を構成し、更に上記連動棒体には、上記支柱部材が起立した使用状態と、格納状態に至る前の近傍の状態において、上記ストッパーピンが対応する位置に、ストッパーピンを嵌合させるストッパー孔を設けた折り畳み式サイドレールを提案する。
【００１１】
また本発明では、上記の構成において、連動腕と連動棒体を上部横桟部材又は下部横桟部材に構成したカバー内に構成することを提案している。
【発明の効果】
【００１２】
本発明の折り畳み式サイドレールでは、支柱部材が起立した使用状態と、倒れた格納状態の間で操作する際、支柱部材が起立した使用状態と、格納状態に至る前の近傍の状態においては、連動棒体に設けたストッパー孔がストッパーピンの位置に至るので、ストッパーピンはばねの付勢により前進してストッパー孔内に嵌合する。
【００１３】
このため全ての支柱部材は、連動棒体と夫々の連動腕を介して回動が不能とされ、自動的にその位置に保持される。
【００１４】
ストッパー孔は、支柱部材が起立した使用状態と、格納状態に至る前の近傍の状態において、上記ストッパーピンが対応する位置に設けているため、一つのストッパーピンにより、支柱部材が起立した使用状態と、格納状態に至る前の近傍の状態のいずれにおいても保持することができる。
【００１５】
このような保持状態の解除は、ストッパーピンをばねの付勢に抗して操作部により後退させてストッパー孔から外すことにより行うことができる。
【発明を実施するための最良の形態】
【００１６】
次に本発明の折り畳み式サイドレールの実施の形態を図１〜図６を参照して説明する。尚、図１〜図３は本発明の折り畳み式サイドレールの実施の形態の全体構成及び動作を概して示すもので、また図４〜図６は要部を説明するものである。
図において、符号１ｕは上部横桟部材、１ｄは下部横桟部材であり、これらの上部横桟部材１ｕと下部横桟部材１ｄ間に、複数の支柱部材２、この場合１３本の支柱部材２を、平行リンク機構を構成するように回動可能に連結している。
【００１７】
夫々の支柱部材２の上部には連動腕３を突設しており、夫々の連動腕３を連動棒体４により平行リンク機構を構成するように連結している。尚、図１〜図３においては、連動腕３及び連動棒体４は便宜上、実線で描いているが、これらは図４に示すように上部横桟部材１ｕに構成したカバー５内に構成されるものである。
【００１８】
そして上記上部横桟部材１ｕには、ストッパー装置６を設けている。このストッパー装置６は、上記上部横桟部材１ｕに上記連動棒体４に対して進退可能にストッパーピン７を設けて、このストッパーピン７を連動棒体４方向にばね８により付勢すると共に、ばね８の付勢に抗して後退させるための操作部９を構成している。更に上記連動棒体４には、上記支柱部材２が起立した使用状態と、格納状態に至る前の近傍の状態において、上記ストッパーピン７が対応する位置に、ストッパーピン７を嵌合させるストッパー孔１０ａ，１０ｂを設けている。この場合、ストッパー孔１０ａは支柱部材２が起立した使用状態に対応し、ストッパー孔１０ｂが格納状態に至る前の近傍の状態に対応している。
【００１９】
尚、図中符号１１は下部横桟部材１ｄの下方に突設した取付棒体であり、この取付棒体１１をベッドのフレームの上面に形成した嵌合孔に嵌合することにより、サイドレールをベッドの側部に取り付ける構成である。
【００２０】
以上の構成において、図１に示すように支柱部材２が起立した使用状態と、図３に示す倒れた格納状態の間で操作する際、支柱部材２が起立した使用状態と、格納状態に至る前の近傍の状態においては、連動棒体４に設けたストッパー孔１０ａ、１０ｂがストッパーピン７の位置に至るので、ストッパーピン７はばね８の付勢により前進してストッパー孔内に嵌合する。
【００２１】
このため全ての支柱部材２は、連動棒体４と夫々の連動腕３を介して回動が不能とされ、自動的にその位置に保持される。
【００２２】
上述したようにストッパー孔１０ａ、１０ｂは、支柱部材が起立した使用状態と、格納状態に至る前の近傍の状態において、上記ストッパーピン７が対応する位置に設けているため、一つのストッパーピン７により、支柱部材２が起立した使用状態と、格納状態に至る前の近傍の状態のいずれにおいても保持することができる。
【００２３】
従って本発明では、支柱部材が起立した使用状態から倒す際の保持機構の解除と、格納状態に至る前の近傍の状態において一時保持された状態から完全な格納状態に移行させる際の保持の解除の両方を、上部横桟部材１ｕに設けたストッパー装置６を操作するだけで行うことができ、操作性が従来と比較して著しく向上する。
【００２４】
以上の実施の形態では、連動腕と連動棒体及びストッパーピンを上部横桟部材側に構成しているが、他の実施の形態として、連動腕と連動棒体及びストッパーピンを下部横桟部材側に構成することができる。
【産業上の利用可能性】
【００２５】
本発明の折り畳み式サイドレールは以上の通りであるので、格納状態に至る前の近傍において支柱部材を支持する保持機構の操作を容易に、確実に行えるという利点がある。
【００２６】
また本発明の折り畳み式サイドレールでは、支柱部材を起立状態、即ち使用状態に支持する保持機構を一体に構成することができ、操作性が著しく向上するという利点がある。
【００２７】
本発明の折り畳み式サイドレールは、医療用のベッドばかりでなく、家庭用の介護ベッドや、一般のベッドにも利用できるものである。
【図面の簡単な説明】
【００２８】
【図１】本発明の折り畳み式サイドレールの実施の形態を使用状態において示す説明図である。
【図２】本発明の折り畳み式サイドレールの実施の形態を格納状態において示す説明図である。
【図３】本発明の折り畳み式サイドレールの実施の形態を格納状態の近傍の一時保持状態において示す説明図である。
【図４】図１の要部の拡大説明図である。
【図５】図１の他の要部の拡大説明図である。
【図６】図１の他の要部を格納状態の近傍の一時保持状態で示す拡大説明図である。
【図７】図１の他の要部を格納状態で示す拡大説明図である。
【符号の説明】
【００２９】
１ｕ              上部横桟部材
１ｄ              下部横桟部材
２                支柱部材
３                連動腕
４                連動棒体
５                カバー
６                ストッパー装置
７                ストッパーピン
８                ばね
９                操作部
１０ａ，１０ｂ    ストッパー孔
１１              取付棒体
【図１】
2009118979.tif 000003
【図２】
2009118979.tif 000004
【図３】
2009118979.tif 000005
【図４】
2009118979.tif 000006
【図５】
2009118979.tif 000007
【図６】
2009118979.tif 000008
【図７】
2009118979.tif 000009